(57)【要約】【課題】浴槽水循環回路内の汚れ部の物理的除去に加えて、菌増殖も抑制し、浴槽水循環回路内をより清潔に保つことができる給湯装置を提供すること。【解決手段】浴槽４２と、前記浴槽４２の水位を検知する水位検知手段４４と、前記浴槽４２に接続された浴槽水循環回路４１と、制御手段とを備え、前記浴槽４２内の水位が所定値以下の場合、前記浴槽水循環回路４１に、無機化合物を溶解させた湯水を通水させる構成としたことを特徴とするもので、浴槽水循環回路４１内の汚れ部の物理的除去に加えて、菌増殖も抑制し、浴槽水循環回路４１内をより清潔に保つことができる給湯装置を提供できる。【選択図】図１
2012177495.tif 000002
【特許請求の範囲】
【請求項１】
浴槽と、前記浴槽の水位を検知する水位検知手段と、前記浴槽に接続された浴槽水循環回路と、制御手段とを備え、前記浴槽内の水位が所定値以下の場合、前記浴槽水循環回路に、無機化合物を溶解させた湯水を通水させる構成としたことを特徴とする給湯装置。
【請求項２】
前記浴槽内の湯水を前記浴槽水循環回路を介して加熱する風呂熱交換器を備え、前記風呂熱交換器にて前記浴槽内の湯水を自動的に保温する運転が選択されていない場合に、前記浴槽水循環回路に、前記無機化合物を溶解させた湯水を通水させる構成としたことを特徴とする請求項１に記載の給湯装置。
【請求項３】
水道からの水のみに、前記無機化合物を溶解させ、前記浴槽水循環回路に通水させる構成としたことを特徴とする請求項１または２に記載の給湯装置。
【請求項４】
前記浴槽内の水位が所定値以下の場合、前記浴槽水循環回路に、前記無機化合物を溶解させた湯水を通水させる動作を、使用者が選択できる選択手段を設けたことを特徴とする請求項１〜３のいずれか１項に記載の給湯装置。
【発明の詳細な説明】
【技術分野】
【０００１】
本発明は、無機化合物を所定量、浴槽水循環回路に流れる水に添加し、浴槽水循環回路内を清潔に保ち易い機能を備えた給湯装置に関するものである。
【背景技術】
【０００２】
従来この種の装置は、浴槽水注湯回路から、浴槽水循環回路に湯水が流れるときに、流れる湯水に洗浄作用を付与する方法が公開されている（例えば、特許文献１参照）。
【０００３】
特許文献１に記載された従来の給湯装置は、浴槽と風呂熱交換器に接続された浴槽水循環回路に循環用微小泡発生装置を設けている。
【０００４】
また、貯湯タンクに貯留された湯を浴槽水混合弁に導いて水と混合した後に浴槽水循環回路に注水する浴槽水注湯回路に注水用微小泡発生装置を設け、図１３に示すように浴槽水循環回路に浴槽水が流れているときに循環用微小泡発生装置に微小泡発生動作を間欠的に行わせ、浴槽水循環回路に湯水が流れているときに注水用微小泡発生装置に微小泡発生動作を間欠的に行わせることができるようにする。
【０００５】
これにより、微小泡による浴槽水循環回路内の付着物に対する物理的な除去作用を持たせ、かつ本従来例では、微小泡発生動作を間欠的に行うことで、連続発生の場合に比べ、洗浄効果を高めることができる。
【先行技術文献】
【特許文献】
【０００６】
【特許文献１】特開２０１０−１８５６００号公報
【発明の概要】
【発明が解決しようとする課題】
【０００７】
しかしながら、前記従来の構成では、浴槽水循環回路内の付着物を物理的に除去する作用のみであり、給湯装置を継続的に使用する中で、微小泡で除去しきれない浴槽水循環回路内の水垢等の汚れ部が残留し続けた場合、汚れ部と水分を栄養分として、人体や浴室環境由来の細菌が浴槽水循環回路内に繁殖し易くなる。
【０００８】
本発明は、前記従来の課題を解決するもので、浴槽水循環回路内の汚れ部の物理的除去に加えて、菌増殖も抑制し、浴槽水循環回路内をより清潔に保つことができる給湯装置を提供することを目的とする。
【課題を解決するための手段】
【０００９】
前記従来の課題を解決するために、本発明の給湯装置は、浴槽と、前記浴槽の水位を検知する水位検知手段と、前記浴槽に接続された浴槽水循環回路と、制御手段とを備え、前記浴槽内の水位が所定値以下の場合、前記浴槽水循環回路に、無機化合物を溶解させた湯水を通水させる構成としたことを特徴とするものである。
【００１０】
これにより、使用者が入浴した後の湯垢、雑菌など汚れ分を含んだ浴槽水循環回路内に残留している浴槽水が、通水で押し出されるとともに、通水中に抗菌または除菌作用を有する無機化合物が溶解添加されるので、浴槽水循環回路内に浴槽水からの汚れが万一残留した場合でも、配管内の水中に溶解している無機化合物により細菌の増殖を抑制することができる。
【発明の効果】
【００１１】
本発明によれば、浴槽水循環回路内の汚れ部の物理的除去に加えて、菌増殖も抑制し、浴槽水循環回路内をより清潔に保つことができる給湯装置を提供できる。
【図面の簡単な説明】
【００１２】
【図１】本発明の実施の形態１における給湯装置の構成図
【図２】同実施の形態における溶解装置の詳細図
【図３】同実施の形態における別の通水方向を示した溶解装置の詳細図
【図４】同実施の形態における無機化合物の表面の濃度分布および速度境界層を示す図
【図５】同実施の形態における浴槽水循環回路の洗浄運転に関連する制御ブロック図
【図６】同実施の形態における別の溶解装置の設置構成を示す給湯装置の構成図
【図７】同実施の形態における別の設置構成を示す溶解装置の詳細図
【図８】同実施の形態における別の溶解装置設置構成の制御ブロック図
【図９】同実施の形態の浴槽水循環回路洗浄運転の制御フロー図
【図１０】（ａ）同実施の形態の浴槽水循環回路内の通水中の状態を示す模式図（ｂ）浴槽水循環回路内の通水後の状態を示す模式図
【図１１】同実施の形態における浴槽水循環回路の菌数測定結果グラフ
【図１２】同実施の形態における自動保温スイッチを設けた場合の浴槽水循環回路洗浄運転の制御フロー図
【図１３】従来の給湯装置の配管洗浄状態を示す模式図
【発明を実施するための形態】
【００１３】
第１の発明は、浴槽と、前記浴槽の水位を検知する水位検知手段と、前記浴槽に接続された浴槽水循環回路と、制御手段とを備え、前記浴槽内の水位が所定値以下の場合、前記浴槽水循環回路に、無機化合物を溶解させた湯水を通水させる構成としたことを特徴とする給湯装置である。
【００１４】
これにより、使用者が入浴した後の湯垢、雑菌など汚れ分を含んだ浴槽水循環回路内に残留している浴槽水が、通水で押し出されるとともに、通水中に抗菌または除菌作用を有する無機化合物が溶解添加されるので、浴槽水循環回路内に浴槽水からの汚れが万一残留した場合でも、配管内の水中に溶解している無機化合物により細菌の増殖を抑制することができる。
【００１５】
第２の発明は、第１の発明の給湯装置において、前記浴槽内の湯水を前記浴槽水循環回路を介して加熱する風呂熱交換器を備え、前記風呂熱交換器にて前記浴槽内の湯水を自動的に保温する運転が選択されていない場合に、前記浴槽水循環回路に、前記無機化合物を溶解させた湯水を通水させる構成としたことを特徴とするものである。
【００１６】
これにより、使用者が当日の入浴を完了したかどうかを区別して、浴槽水循環回路の洗浄運転を実行することができ、例えば、より抗菌力の高い無機化合物を添加する場合などに、使用者への安全性を確保しながら、浴槽水循環回路内の清潔性を保つことができる。
【００１７】
第３の発明は、第１または第２の発明の給湯装置において、水道からの水のみに、前記無機化合物を溶解させ、前記浴槽水循環回路に通水させる構成としたことを特徴とするものである。
【００１８】
これにより、浴槽水循環回路を流れる無機化合物を添加した水の温度を可能なかぎり低くすることで、浴槽水循環回路内の雑菌繁殖をさらに抑制する状態を作ることができる。
【００１９】
第４の発明は、第１〜第３の発明のいずれかの発明の給湯装置において、前記浴槽内の水位が所定値以下の場合、前記浴槽水循環回路に、前記無機化合物を溶解させた湯水を通水させる動作を、使用者が選択できる選択手段を設けたことを特徴とするものである。
【００２０】
これにより、使用者は、浴槽水の汚れ具合をもとに、浴槽水循環回路に、無機化合物が溶解した水の通水の追加運転を任意に実行することができ、浴槽水循環回路の清潔性をさらに高めることができる。
【００２１】
以下、本発明の実施の形態について、図面を参照しながら説明する。なお、この実施の形態によって本発明が限定されるものではない。
【００２２】
（実施の形態１）
図１は、本発明の第１の実施の形態における給湯装置の構成図を示すものである。図２、及び図３は、同実施の形態における溶解装置の詳細断面図である。
【００２３】
図１において、圧縮機２２、給湯熱交換器２３、減圧手段２４、蒸発器２５を冷媒回路２６で順に環状に接続してヒートポンプユニット２１を構成している。貯湯ユニット２７の貯湯タンク２８には水が貯留されており、出湯回路３０は貯湯タンク２８、給湯水ポンプ２９、給湯熱交換器２３、貯湯タンク２８を順に接続する回路である。浴槽水加熱回路３５は、貯湯タンク２８、風呂熱交換器３３、浴槽水加熱ポンプ３４、貯湯タンク２８を順に接続する回路であり、風呂熱交換器３３の他方の回路には浴槽４２が接続されている。
【００２４】
ヒートポンプユニット２１で貯湯タンク２８に貯留された水を加熱する運転は、以下のような動作となる。貯湯タンク２８の水は、給湯水ポンプ２９によって給湯熱交換器２３へ搬送され、ヒートポンプサイクル動作によって加熱される。給湯水ポンプ２９は給湯熱交換器２３で加熱された給湯水の温度が予め決定した温度になる様に、出湯回路３０の流量を制御する。
【００２５】
浴槽４２への湯張り、並びに、浴槽水の加熱は以下のような動作となる。浴槽水注湯回路３９の浴槽水混合弁３６は、温度検知手段３７で検知する注湯温度がリモコン等（図示せず）で予め設定された温度となるように、高温の水と水道水の混合割合を調整する。
【００２６】
所定温度となった浴槽水は、浴槽水注湯回路３９、浴槽水循環回路４１を順に経由して浴槽４２へ流出する。一方、浴槽４２の浴槽水を加熱する場合は、貯湯タンク２８に貯留された高温の水を、浴槽水加熱ポンプ３４によって風呂熱交換器３３へ搬送し、浴槽水循環ポンプ４０より搬送された浴槽水を加熱する。風呂熱交換器３３で浴槽水を加熱して温度が下がった給湯水は、貯湯タンク２８の下部より内部へ流入する。
【００２７】
浴槽水循環回路４１は、浴槽アダプタ４３を介して浴槽４２と、浴槽水を搬送する浴槽水循環ポンプ４０と、風呂熱交換器３３とを順に接続する回路である。また、浴槽４２と浴槽水循環ポンプ４０との間には、水位検知手段４４が組み込まれており、浴槽４２に内の貯留した水の静圧を電圧変換して出力することで、浴槽の水位情報を得ることができる。
【００２８】
浴槽水注湯回路３９は、貯湯タンク２８の水を、浴槽水循環回路４１を経由して浴槽４２へ注湯する回路である。この回路には貯湯タンク２８の高温の水と水道水を混合する浴槽水混合弁３６、注湯する水温を検知する温度検知手段３７、浴槽水注湯回路３９の回路の開閉を行う浴槽水注湯弁３８、浴槽水注湯弁３８を通過する積算流量を検知する注湯流
量検知手段４５を順に備える。
【００２９】
溶解装置５は、浴槽水注湯弁３８下流側の浴槽水注湯回路３９内の途中に、接続管４を介して配設されている。
【００３０】
図２に示すように、溶解装置５は、目的の無機化合物を水に溶解添加できる手段であればよく、図２に示すような、無機化合物を含有した無機化合物１の粒子を収納容器２内に充填し、無機化合物１の下流側に濾過手段３を配設し、無機化合物１と湯水を直接接触させる構成となる。尚、溶解装置５を通過させる水流の方向は、図２及び図３に示すように、上昇、下降どちらでも良く、無機化合物１に水への溶解性能が得られれば、水流方向を限定するものではない。
【００３１】
尚、無機化合物１としては、少なくとも浴槽水循環回路内の雑菌の繁殖を抑制する作用を有するものが好ましく、亜鉛系物質、銀系物質、銅系物質など、一般に抗菌または除菌作用を有することが認知されている材料を用いることが、入手性、品質安定性の観点からより好ましい。
【００３２】
前記溶解装置５内においては、流入した湯水が収納容器２に充填された無機化合物１の粒子で形成された多孔質の空間を通過する。水には粘性があるため、多孔質の空間を通過する際に無機化合物１の表面から表面近傍の領域には速度境界層が生成される。
【００３３】
図４はその速度境界層の状態を示す図である。無機化合物１の表面近傍の速度境界層の流速は小さく、多孔質空間の中心部を通過する流速は大きい分布となる。無機化合物１は水に対して溶解性を持つため、無機化合物１の表面近傍の無機化合物１の表面分子は、表面近傍の水に溶解し、水の溶解濃度が上昇する。表面近傍の水は流速が小さいため、溶解濃度は高い値となる。
【００３４】
これに対して流速の大きい多孔質空間の中心部を流れる水の溶解濃度は低い。このとき、水中に溶解する無機化合物の濃度差が生じた場合は、濃度差に応じて高い方から低い物質が移動する（フィックの法則）ため、表面近傍の水に溶解した無機化合物は濃度の低い中心の水に移動する。この物質拡散の原理を利用することで、無機化合物１を多孔質空間内の水に溶解させることができる。
【００３５】
図５は、本発明の給湯装置の浴槽水循環回路の洗浄運転に関連した機能の制御ブロック図であり、浴槽４２の水位変化を検知して、浴槽水注湯弁３８より下流に湯水を流す制御に関連するものである。図５において、制御手段５０には、判定部５１、記憶部５２が設けられ、水位検知手段４４からの水位出力や、注湯流量検知手段４５の積算流量出力をもとに、記憶部５２に予め記憶されている水位や、積算流量の基準データをもとに、判定部５１で実測値の対比判定を行い、基準データを超えた場合に浴槽水注湯弁３８を開放する。
【００３６】
また、制御手段５０に接続されるリモコン手段５３は、浴槽４２に予め設定された湯量を自動で投入する自動湯張りスイッチ５４、湯張り後、浴槽４２の湯温を予め設定された湯温に自動で維持し、かつ入浴時に浴槽４２の湯量が低下した場合には、設定湯量まで足し湯を行う自動保温スイッチ５５等が設けられている。
【００３７】
また、尚、溶解装置５の浴槽水注湯回路３９への取り付け構成については、図１に示すように浴槽水循環回路の途中に直列に組み込む構成だけでなく、図６、図７に示すように、浴槽水注湯回路３９の途中に２ヶ所の分岐部１２を設け、分岐部１２より接続管４を介して、溶解装置５をバイパス接続し、溶解装置５の上流側または、下流側に、溶解装置電
磁弁１３を組み込み、分岐部１２の間の浴槽水注湯回路３９の配管に絞り部１４を設けた構成とすることで、浴槽水注湯弁からの通水は、絞り部１４での圧力損失を生じ、圧力損失分の通水が、上流側の分岐部１２、溶解装置５と流れ、下流側の分岐部１２を経て、本流と合流することで、通水中への無機化合物の溶解添加が可能となる。
【００３８】
また、図８の制御ブロック図に示すように、リモコン手段５３に、手動運転スイッチ５６を設けて、溶解装置電磁弁１３の開閉を制御することで、使用者が任意に無機化合物の溶解有無を選択することもできる。
【００３９】
以上のように構成された給湯装置について、以下その動作、作用を説明する。自動湯張りスイッチ５４により、浴槽４２に湯張りを行い、使用者が入浴することで、使用者の汗、垢、皮脂及び皮膚に付着する雑菌が、浴槽水に移行する。さらに使用者が、追い焚き操作で浴槽４２の湯水を再加熱すると、浴槽水循環ポンプ４０により、浴槽水が浴槽水循環回路４１に通水されて、風呂熱交換器３３で給湯水と熱交換されて浴槽水温が上昇する。
【００４０】
この操作により、使用者の汗等を含んだ湯水が、浴槽水循環回路４１に流入し残留することとなる。さらに続けて別の使用者が入浴、また残り湯を洗濯等に使用するために翌朝まで浴槽４２に湯水を放置した場合には、浴槽４２。浴槽水循環回路４１内の水中の雑菌は、皮脂などの栄養分を得て、増殖することとなる。
【００４１】
このような場合でも、本発明の給湯装置は、浴槽水循環回路４１内の汚れ分を除去し、雑菌の繁殖を抑制することができる。本実施の形態の作用を、図５の制御ブロック図、図９の浴槽水循環回路洗浄制御フロー、及び、図１０ａ）及び図１０（ｂ）の浴槽水循環回路内の模式図を用いて説明する。
【００４２】
使用者が浴槽４２のお湯を排水した場合、水位検知手段４４による水位判定が開始され（ＳＴＥＰ１）、記憶部５２に記憶された洗浄開始水位に、浴槽水位が到達しているか否かを判定部５１で判定（ＳＴＥＰ２）するまで、ＳＴＥＰ１からＳＴＥＰ２のフローを繰り返す。浴槽水位が洗浄開始水位以下に到達すると、浴槽水注湯弁３８を開放し、浴槽水注湯回路３９へ湯水の通水が開始される（ＳＴＥＰ３）。
【００４３】
通水開始された湯水は、溶解装置５を通過する際、溶解装置５内部の抗菌または除菌作用を有する無機化合物１が所定量、湯水に溶解し、浴槽水循環回路４１に流入し、風呂熱交換器３３、浴槽水循環ポンプ４０、浴槽アダプタ４３を順次通過して、浴槽４２に流れだす。汚れ分が残留しやすい浴槽水循環回路４１等においては、ＳＴＥＰ３の通水により、図１０（ａ）に示すように、浴槽水循環回路４１内の汚れ分は水流により物理的に除去される。
【００４４】
浴槽水注湯弁３８開放時からの、積算通水量は、注湯流量検知手段４５により計測され、記憶部５２に記憶された設定流量と、実際の積算流量との比較判定を行い（ＳＴＥＰ４）、設定流量に到達した時点で、浴槽水注湯弁３８を閉じて、通水を停止する（ＳＴＥＰ５）。
【００４５】
前記の無機化合物１の溶解水の流量設定値は、給湯装置の設置条件における浴槽水循環回路４１の最大配管長の内容積よりも大きくなるように設定することで、洗浄運転において浴槽水循環回路４１内の汚れ分含有浴槽水が完全に、無機化合物１の溶解水と置換されることとなる。
【００４６】
溶解水と置換後の浴槽水循環回路内は、図１０（ｂ）に示すように、無機化合物１の溶解水で満たされることとなり、汚れ分が除去されず残留している場合でも、浴槽水循環回
路４１内での菌の増殖を抑制することができる。
【００４７】
本実施の形態の効果を検証するために、浴槽水循環回路４１の配管内の菌数測定を実施した。本検証において、４名家族をモデルケースとし、大人２名、子供２名の入浴条件において、７日間入浴を繰り返した後の、浴槽水循環回路４１の配管内に残存する一般細菌数を測定した。
【００４８】
洗浄条件において、実施の形態１は、前記、図９の浴槽水循環回路洗浄制御フローに従い、ＳＴＥＰ４での積算通水量は１０Ｌとし、かつ、溶解装置５内の無機化合物１として、酸化亜鉛を充填し、亜鉛イオンの溶解水１０Ｌを、浴槽水循環回路４１に通水し、通水後、浴槽水循環回路４１内に溶解水を残留させる条件とした。
【００４９】
比較例２は、実施の形態１の洗浄運転において、無機化合物の溶解なしの条件とし、他の条件は、実施の形態１と同様とした。
【００５０】
比較例３は、洗浄運転なしとし、浴槽の汚れ分を含んだ水が、浴槽水循環回路４１内に残留する条件とした。
【００５１】
尚、実施の形態１と比較例１の条件において、図９の制御フローのＳＴＥＰ３で流す水の温度は、４０℃温水とした。
【００５２】
浴槽水循環回路４１内の菌数測定については、浴槽水循環回路４１の洗浄を７日間繰り返した後、７日目の入浴完了後、ないし浴槽水循環回路洗浄完了時点、および前記完了時点から２４時間後の浴槽水循環回路４１内の残水中及び配管内壁付着の一般細菌数を測定した。
【００５３】
菌数測定に関しては、浴槽水循環回路の配管１０ｃｍの残留水と、配管内壁の付着菌を拭き取り、それぞれ標準寒天培地上に塗りつけて、３７℃、４８時間保管後、培地上の細菌集落を目視カウントし、配管１０ｃｍ当たりの菌数として算出した。
【００５４】
図１１に、実施の形態１、比較例１，及び比較例２の菌数測定結果を示す。図１１において、洗浄完了後（実施の形態１、比較例１）、及び入浴完了後（比較例２）の菌数を比較すると、浴槽水循環回路４１内に汚れ分が残留し、洗浄運転なしである比較例２の菌数に対して、浴槽水位低下後、浴槽水循環回路４１内に１０Ｌの温水を通水した実施の形態１及び比較例１の菌数は低く抑えられている。
【００５５】
また、２４時間経過後の各条件の菌数の比較においては、比較例１及び比較例２は、菌数が１桁以上増殖する傾向に対して、実施の形態１は、２４時間後においても菌数増殖が抑制されている。
【００５６】
これらの結果から、本実施の形態１では、浴槽水循環回路４１内の残水中に溶解している無機化合物の酸化亜鉛由来の亜鉛イオンが、配管内に残留する雑菌に対して増殖を抑制する作用を持っていることが確認できた。
【００５７】
以上のように、本実施の形態の給湯装置は、使用者が入浴した後の湯垢を含んだ浴槽水循環回路４１内に残留している浴槽水が、通水で押し出されるとともに、通水中に抗菌または除菌作用を有する無機化合物１を溶解添加されるので、浴槽水循環回路４１内に浴槽水由来の汚れが万一残留した場合でも、配管内の水中に添加されている無機化合物１により細菌の増殖を抑制することができる。
【００５８】
また、溶解装置５により無機化合物１を溶解された水は、浴槽水循環回路４１、浴槽水循環ポンプ４０、及び風呂熱交換器３３の各浴槽水循環回路内に通水されることとなり、浴槽入浴で汚れ部が付着しやすい前記浴槽水循環回路内を、より清潔に保つことができる。
【００５９】
また、尚、本実施の形態では、リモコン手段５３の自動保温スイッチがＯＦＦの状態の時にのみ、洗浄運転に移行させる制御フローを設けることで、使用者が体を洗う際に浴槽水を大量に使用した場合でも、誤って浴槽水循環回路の洗浄運転に移行することを防ぐことができる。この動作について、図１２の制御フローを用いて説明する。尚、前記図９の制御フロートと同様の内容については、説明を省略する。
【００６０】
図１２の制御フローにおいて、水位検知手段４４による水位判定において、足し湯開始水位と洗浄開始水位の２つの水位設定を記憶部５２に設けた。水位判定開始後、浴槽水位が足し湯開始水位以下に到達した場合（ＳＴＥＰ２）、さらに、判定部５１が自動保温スイッチのＯＮ、ＯＦＦ判定を行い（ＳＴＥＰ３）、ＯＮの場合は、浴槽湯量設定まで足し湯を行う（ＳＴＥＰ４、ＳＴＥＰ５）。
【００６１】
ＳＴＥＰ３において、自動保温ＯＦＦの場合は、判定部５１が洗浄開始水位を判定し（ＳＴＥＰ６）、前記図６と同様の浴槽水循環回路４１の洗浄運転を実施する（ＳＴＥＰ７、ＳＴＥＰ８、ＳＴＥＰ９）。
【００６２】
これにより、使用者が当日の入浴を完了したかどうかを区別して、浴槽水循環回路４１の洗浄運転を実行することができ、例えば、より抗菌力の高い無機化合物を添加する場合などに、使用者への安全性を確保しながら、浴槽水循環回路４１内の清潔性を保つことができる。
【００６３】
また、尚、浴槽水位の低下時に、浴槽水循環回路４１へ通水させる水は、浴槽水混合弁３６を調節して、元水道水のみ通水させる構成とすることで、浴槽水循環回路４１を流れる無機化合物を添加した水の温度を可能なかぎり低くするができ、浴槽水循環回路４１内の雑菌繁殖をさらに抑制する状態を作ることができる。
【００６４】
また、図５のリモコン手段５３に示すように、手動運転スイッチ５６を設けることで、使用者が任意に、浴槽水循環回路４１への無機化合物を添加した水を通水させることができ、使用者は、浴槽水の汚れ具体をもとに、浴槽水循環回路４１への無機化合物を添加した水の通水の追加運転を任意に行うことができ、浴槽水循環回路４１の清潔性をさらに高めることができる。
【産業上の利用可能性】
【００６５】
以上のように、本発明にかかる給湯装置は、汚れ分を含んだ浴槽水が循環する浴槽水循環回路内の清潔性を保ちやすく、貯湯式給湯機の他、ガス熱源の給湯機にも利用できる。
【符号の説明】
【００６６】
１  無機化合物
２  収納手段
３  濾過手段
５  溶解装置
３３  風呂熱交換器
３９  浴槽水注湯回路
３８  浴槽水注湯弁
４０  浴槽水循環ポンプ
４１  浴槽水循環回路
４２  浴槽
４４  水位検知手段
５６  手動運転スイッチ（選択手段）
【図１】
2012177495.tif 000003
【図２】
2012177495.tif 000004
【図３】
2012177495.tif 000005
【図４】
2012177495.tif 000006
【図５】
2012177495.tif 000007
【図６】
2012177495.tif 000008
【図７】
2012177495.tif 000009
【図８】
2012177495.tif 000010
【図９】
2012177495.tif 000011
【図１０】
2012177495.tif 000012
【図１１】
2012177495.tif 000013
【図１２】
2012177495.tif 000014
【図１３】
2012177495.tif 000015